(57)【要約】【課題】三相電源回路の補機への給電を遮断した要因が、三相電源回路側での要因なのか、或いはサーマルリレー側での要因なのかを識別することが可能な電源回路監視システムを提供する。【解決手段】サーマルリレーを有する補機回路の該サーマルリレーを介して三相電源回路から給電される補機の該三相電源回路からの給電状態を監視する電源回路監視システムには、三相電源回路の三相間の相間電圧を検知する検知手段と、検知手段にて検知した相間電圧を記録する記録制御手段とが設けられている。【選択図】図１
2014171364.tif 000002
【特許請求の範囲】
【請求項１】
サーマルリレーを有する補機回路の該サーマルリレーを介して三相電源回路から給電される補機の該三相電源回路からの給電状態を監視する電源回路監視システムであって、
前記三相電源回路の三相間の相間電圧を検知する検知手段と、前記検知手段にて検知した前記相間電圧を記録する記録制御手段とを設けたことを特徴とする電源回路監視システム。
【発明の詳細な説明】
【技術分野】
【０００１】
本発明は、サーマルリレーを有する補機回路の該サーマルリレーを介して三相電源回路から給電される補機の該三相電源回路からの給電状態を監視する電源回路監視システムに関する。
【背景技術】
【０００２】
三相電源回路（例えば、系統連系を行う場合には系統）から給電される補機（例えば、モータや冷却水ポンプ等の電動機などの発電機に備えられる補機類）においては、次のような不都合がある。
【０００３】
図４は、負荷Ｌｒｓ，Ｌｓｔ，Ｌｔｒを接続した三相電源回路１０に対して、補機３０が補機回路２０を介して接続されている電源接続回路２００の一例を示す回路図である。
【０００４】
図４に示す電源接続回路２００において、三相電源回路１０は、ここでは、ＡＣ２００Ｖの電圧が出力される三相３線式の商用電源とされている。なお、図４に示す電源接続回路２００において負荷Ｌｒｓ，Ｌｓｔ，Ｌｔｒおよび補機回路２０の上流側には配線用遮断器ＣＢ（主幹ブレーカ）が設けられている。また、補機３０は、ここでは、モータや冷却水ポンプ等の電動機などの発電機（例えばエンジン発電機）に備えられる補機類とされている。
【０００５】
電源接続回路２００では、三相電源回路１０におけるＲ相、Ｓ相、Ｔ相の三相において欠相が発生したり、または三相電源回路１０のＲ相−Ｓ相間、Ｓ相−Ｔ相間、Ｔ相−Ｒ相間に接続される負荷Ｌｒｓ，Ｌｓｔ，Ｌｔｒの使用状況によってＲ相、Ｓ相、Ｔ相の三相間で消費される電力Ｐｒｓ，Ｐｓｒ，Ｐｔｒが不均一となってＲ相、Ｓ相、Ｔ相の三相間の相間電圧Ｖｒｓ，Ｖｓｔ，Ｖｔｒが不平衡になったりする場合がある。そうすると、三相電源回路１０から補機３０に過電流が流れ、これにより補機３０が過熱して補機３０の焼損を招く。
【０００６】
かかる補機３０への過電流を防止するために、補機回路２０において所定値を超える電流が流れることにより電路を遮断（トリップ）させ復帰可能とするサーマルリレー２１を設け、補機回路２０に所定値を超える電流が流れてサーマルリレー２１が発熱した場合にサーマルリレー２１による電路の遮断により三相電源回路１０の補機３０への給電を遮断する構成が従来から知られている。
【０００７】
詳しくは、補機回路２０は、サーマルリレー２１および電磁接触器２２を備えている。サーマルリレー２１は、過電流による補機３０の過熱を保護するために、補機回路２０の補機３０に接続される電路（この例ではＲ相、Ｔ相）に設けられている。サーマルリレー２１は、熱動継電器とも称され、補機３０に流れる電流が許容上限値を超えないように、所定値を超える電流により自身が発熱することによって電磁接触器２２を動作させる。電磁接触器２２は、サーマルリレー２１の動作によって三相電源回路１０から補機３０への給電を遮断する。すなわち、補機回路２０は、サーマルリレー２１および電磁接触器２２を用いて電磁開閉器として使用される。
【０００８】
具体的には、サーマルリレー２１は、補機回路２０の補機３０に接続される電路（この例ではＲ相、Ｔ相）に設けられた熱動部２１ｒ，２１ｔと、二相間（この例ではＲ相とＳ相との間）に接続された電路Ｌ１に設けられた接点部２１ａとを備えている。サーマルリレー２１は、熱動部２１ｒ，２１ｔが作動していないときには接点部２１ａがオン状態となり、オン状態の接点部２１ａが、所定値を超える電流による発熱により熱動部２１ｒ，２１ｔが作動することでオフ状態となるようになっている。熱動部２１ｒ，２１ｔは、バイメタルの熱動素子と、所定値を超える電流により発熱して熱動素子を加熱するヒートエレメントとを含んでいる。なお、サーマルリレー２１は、従来公知のものを用いることができ、ここでは詳しい説明を省略する。
【０００９】
電磁接触器２２は、電路Ｌ１に設けられた電磁コイル２２ａと、補機回路２０の補機３０に接続されるＲ相、Ｓ相、Ｔ相の各相に設けられた第１接点部２２ｒ，２２ｓ，２２ｔと、電路Ｌ１に対して後述する第１押しボタンスイッチ２３に並列に接続された電路Ｌ２に設けられた第２接点部２２ｂとを備えている。電磁接触器２２は、第１押しボタンスイッチ２３がオフ状態で電磁コイル２２ａが作動していないときには第１接点部２２ｒ，２２ｓ，２２ｔおよび第２接点部２２ｂがオフ状態となり、オフ状態の第１接点部２２ｒ，２２ｓ，２２ｔおよび第２接点部２２ｂが、第１押しボタンスイッチ２３による通電により電磁コイル２２ａが作動することでオン状態となるようになっている。
【００１０】
補機回路２０は、サーマルリレー２１および電磁接触器２２に加えて、電路Ｌ１に設けられた第１押しボタンスイッチ２３および第２押しボタンスイッチ２４をさらに備えている。第１押しボタンスイッチ２３は、押下操作により閉路となり、かつ、押下操作が解除されると開路に復帰する接点を有している。第２押しボタンスイッチ２４は、押下操作により開路となり、かつ、押下操作が解除されると閉路に復帰する接点を有している。
【００１１】
以上説明した電源接続回路２００では、第１押しボタンスイッチ２３が押下操作されると、電磁コイル２２ａに電流が流れ、第１接点部２２ｒ，２２ｓ，２２ｔおよび第２接点部２２ｂが閉じ、補機３０が三相電源回路１０から第１接点部２２ｒ，２２ｓ，２２ｔを介して給電される。このとき、第１押しボタンスイッチ２３の押下操作が解除されても、第２接点部２２ｂにより自己保持動作がなされる。これにより、第１接点部２２ｒ，２２ｓ，２２ｔおよび第２接点部２２ｂのオン状態が保持されて三相電源回路１０から補機３０への給電が維持される。一方、第２押しボタンスイッチ２４が押下操作されると、電磁コイル２２ａへの通電が解除され、第２接点部２２ｂによる自己保持動作が解除されて第１接点部２２ｒ，２２ｓ，２２ｔおよび第２接点部２２ｂがオフ状態となることで、三相電源回路１０から補機３０への給電が停止される。
【００１２】
そして、補機３０が三相電源回路１０から給電されている状態において、サーマルリレー２１に所定値を超える電流が流れるときには、サーマルリレー２１においてオン状態の接点部２１ａが、熱動部２１ｒ，２１ｔの発熱作動によりオフ状態となり、電磁コイル２２ａへの通電が解除されて第１接点部２２ｒ，２２ｓ，２２ｔおよび第２接点部２２ｂがオフ状態となることで、三相電源回路１０から補機３０への給電が遮断される。
【００１３】
ところで、サーマルリレー２１により三相電源回路１０の補機３０への給電を遮断する構成において、三相電源回路１０の補機３０への給電を遮断する要因としては、三相電源回路１０におけるＲ相、Ｓ相、Ｔ相の三相において欠相が発生したり、三相電源回路１０の三相間の相間電圧Ｖｒｓ，Ｖｓｔ，Ｖｔｒが不平衡になったりしてサーマルリレー２１に所定値を超える電流が流れる場合の他、サーマルリレー２１自体が誤動作する場合がある。
【００１４】
そのため、三相電源回路１０の補機３０への給電を遮断した要因が、三相電源回路１０側での要因なのか、或いはサーマルリレー２１側での要因なのかを識別することができなかった。
【００１５】
この点に関し、特許文献１には、変流器の断線、短絡を的確に検出するために、変流器の２次回路の電流を得て商用電源からの受電電力または受電電流が所定値以下の状態が所定時間以上持続したことを検出する構成が開示されている。
【先行技術文献】
【特許文献】
【００１６】
【特許文献１】特許第３９０８２０３号公報（特開２００５−４５８５９号公報）
【発明の概要】
【発明が解決しようとする課題】
【００１７】
しなしながら、特許文献１に記載の構成を利用したとしても、三相電源回路の補機への給電を遮断した要因が、三相電源回路側での要因なのか、或いはサーマルリレー側での要因なのかを識別することができない。
【００１８】
そこで、本発明は、三相電源回路の補機への給電を遮断した要因が、三相電源回路側での要因なのか、或いはサーマルリレー側での要因なのかを識別することが可能な電源回路監視システムを提供することを目的とする。
【課題を解決するための手段】
【００１９】
本発明は、前記課題を解決するために、サーマルリレーを有する補機回路の該サーマルリレーを介して三相電源回路から給電される補機の該三相電源回路からの給電状態を監視する電源回路監視システムであって、前記三相電源回路の三相間の相間電圧を検知する検知手段と、前記検知手段にて検知した前記相間電圧を記録する記録制御手段とを設けたことを特徴とする電源回路監視システムを提供する。
【発明の効果】
【００２０】
本発明によると、前記三相電源回路の三相間の相間電圧を検知する前記検知手段と、前記検知手段にて検知した前記相間電圧を記録する前記記録制御手段とを設けることで、前記三相電源回路の前記補機への給電を遮断した要因が、前記三相電源回路側での要因なのか、或いは前記サーマルリレー側での要因なのかを識別することが可能となる。
【図面の簡単な説明】
【００２１】
【図１】図４に示す電源接続回路に適用された電源回路監視システムの一例の概略構成を示すシステムブロック図である。
【図２】図１に示す制御部における第２制御装置を中心に示すシステムブロック図である。
【図３】電源回路監視システムにおける制御部の第２制御装置による制御動作の一例を示すフローチャートである。
【図４】負荷を接続した三相電源回路に対して、補機が補機回路を介して接続されている電源接続回路の一例を示す回路図である。
【発明を実施するための形態】
【００２２】
以下、本発明に係る実施の形態について図面を参照しながら説明する。
【００２３】
図１は、図４に示す電源接続回路２００に適用された電源回路監視システム１００の一例の概略構成を示すシステムブロック図である。
【００２４】
なお、電源接続回路２００における三相電源回路１０、補機回路２０、補機３０および負荷Ｌｒｓ，Ｌｓｔ，Ｌｔｒの接続構成並びに補機回路２０の回路構成については、既に説明したとおりであるため、ここでは、説明を省略し、本発明の実施の形態に係る電源回路監視システム１００を中心に説明する。
【００２５】
図１に示す電源回路監視システム１００は、電圧センサ１１０（検知手段と一例）と、制御部１２０とを備えている。
【００２６】
電圧センサ１１０は、三相電源回路１０のＲ相−Ｓ相間、Ｓ相−Ｔ相間、Ｔ相−Ｒ相間の相間電圧Ｖｒｓ，Ｖｓｔ，Ｖｔｒを検知して出力するものである。電圧センサ１１０は、三相電源回路１０のＲ相、Ｓ相、Ｔ相間の三相の相間電圧Ｖｒｓ，Ｖｓｔ，Ｖｔｒを個々に検知して出力する複数の電圧センサであってもよいが、ここでは、単一の電力量センサ（オムロン社製ＫＭ５０−Ｃ）を用いている。この電力量センサは、電力量を検知して出力するだけでなく、Ｒ相、Ｓ相、Ｔ相の三相間の相間電圧Ｖｒｓ，Ｖｓｔ，Ｖｔｒをそれぞれ検知して出力できるようになっている。この電力量センサを用いることで、複数の電圧センサを用いなくてもよいし、電力量等のその他のデータも取得することができるという利点がある。
【００２７】
制御部１２０は、第１制御装置１２１、第２制御装置１２２および第３制御装置１２３を備えている。第１制御装置１２１、第２制御装置１２２および第３制御装置１２３は、互いに通信回線ＬＮで接続されており、ＣＡＮ（Controller Area Network）規格に基づいて互いにデータ転送されるようになっている。
【００２８】
第１制御装置１２１、第２制御装置１２２および第３制御装置１２３は、ＣＰＵ（Central Processing Unit）等の処理部１２１ａ，１２２ａ，１２３ａと、ＲＯＭ（Read Only Memory）等の不揮発性メモリやフラッシュメモリなどの書き込み可能な不揮発性メモリおよびＲＡＭ（Random Access Memory）等の揮発性メモリを含む記憶部１２１ｂ，１２２ｂ，１２３ｂとをそれぞれ備えている。
【００２９】
電源回路監視システム１００は、第１制御装置１２１、第２制御装置１２２および第３制御装置１２３の処理部１２１ａ，１２２ａ，１２３ａが記憶部１２１ｂ，１２２ｂ，１２３ｂのＲＯＭに予め格納された制御プログラムを記憶部１２１ｂ，１２２ｂ，１２３ｂのＲＡＭ上にロードして実行することにより、各種構成要素を制御するようになっている。また、記憶部１２１ｂ，１２２ｂ，１２３ｂにおける不揮発性メモリには、電源回路監視システム１００の動作パラメータや設定データなどの各種システム情報が格納されている。
【００３０】
第１制御装置１２１は、電圧センサ１１０にて検知した相間電圧Ｖｒｓ，Ｖｓｔ，Ｖｔｒを第２制御装置１２２に送信する構成とされている。
【００３１】
第２制御装置１２２は、第１制御装置１２１から送られてきた相間電圧Ｖｒｓ，Ｖｓｔ，Ｖｔｒを記録する構成とされている。
【００３２】
図２は、図１に示す制御部１２０における第２制御装置１２２を中心に示すシステムブロック図である。
【００３３】
図２に示すように、第２制御装置１２２は、第１制御装置１２１から送られてきた相間電圧Ｖｒｓ，Ｖｓｔ，Ｖｔｒを記憶部１２２ｂに記録する記録制御手段Ｐ１と、第１制御装置１２１から送られてきた相間電圧Ｖｒｓ，Ｖｓｔ，Ｖｔｒが不平衡（欠相も含む。以下同じ。）になっているか否かを判定する不平衡判定手段Ｐ２と、三相電源回路１０の補機３０への給電が遮断されたか否かを監視する給電監視制御手段Ｐ３と、不平衡判定手段Ｐ２にて相間電圧Ｖｒｓ，Ｖｓｔ，Ｖｔｒが不平衡になっていると判定した場合、或いは給電監視制御手段Ｐ３にて三相電源回路１０の補機３０への給電が遮断されたと判断した場合に警報を発する警報発報制御手段Ｐ４とを備える。
【００３４】
また、電源回路監視システム１００は、表示部１２４をさらに備えている。表示部１２４は、第２制御装置１２２の出力系に電気的に接続されており、第２制御装置１２２からの表示情報が出力されるようになっている。
【００３５】
詳しくは、記録制御手段Ｐ１は、第１制御装置１２１から送られてきた相間電圧Ｖｒｓ，Ｖｓｔ，Ｖｔｒを予め定めた所定のサンプリング時間毎に記憶部１２２ｂの不揮発性メモリに記録していく。補機３０は、ここでは、複数存在している。このため、記録制御手段Ｐ１は、第１制御装置１２１から送られてきた相間電圧Ｖｒｓ，Ｖｓｔ，Ｖｔｒを設置箇所の情報（補機３０が設置されている箇所を示す情報）と共に所定のサンプリング時間毎に記憶部１２２ｂの不揮発性メモリに記録していく。なお、記録制御手段Ｐ１は、相間電圧Ｖｒｓ，Ｖｓｔ，Ｖｔｒを設置箇所の情報および日時（日付および時刻）と共に記録してもよい。
【００３６】
不平衡判定手段Ｐ２は、相間電圧Ｖｒｓ，Ｖｓｔ，Ｖｔｒをパラメータとする予め定めた所定の判定式（この例では、以下に示す電圧不平衡率［％］の［式１］参照）を用いて演算し、判定式［式１］の値が予め定めた所定の閾値（例えば５［％］）を超えた場合には、相間電圧Ｖｒｓ，Ｖｓｔ，Ｖｔｒが不平衡であるとみなす。なお、言うまでもないが、判定式は、以下の電圧不平衡率の［式１］に限定されるものではない。
｜ＭＡＸ（Ｖｒｓ−Ｖａ，Ｖｓｔ−Ｖａ，Ｖｔｒ−Ｖａ）｜／Ｖａ×１００  …［式１］
但し、Ｖａ＝（Ｖｒｓ＋Ｖｓｔ＋Ｖｔｒ）／３
｜ＭＡＸ（α，β，γ）｜：α，β，γの中の絶対値で最大の値を選択
給電監視制御手段Ｐ３は、補機回路２０における電磁接触器２２（図４参照）の第１接点部２２ｒ，２２ｓ，２２ｔがオン状態になっているか或いはオフ状態になっているかを示す識別信号を検出する。
【００３７】
警報発報制御手段Ｐ４は、不平衡判定手段Ｐ２にて相間電圧Ｖｒｓ，Ｖｓｔ，Ｖｔｒが不平衡であると判定した場合には、記憶部１２２ｂにおける相間電圧Ｖｒｓ，Ｖｓｔ，Ｖｔｒの値を含む監視データを表示部１２４および／または第３制御装置１２３に送信する。具体的には、警報発報制御手段Ｐ４は、不平衡と判定された記憶部１２２ｂにおける相間電圧Ｖｒｓ，Ｖｓｔ，Ｖｔｒの値と、相間電圧Ｖｒｓ，Ｖｓｔ，Ｖｔｒが不平衡となっている旨のメッセージとを設置箇所の情報と共に表示部１２４および／または第３制御装置１２３に監視データとして送信する。なお、これらの監視データを表示部１２４と第３制御装置１２３とのうちの何れに送信するかの情報は、予め設定しておくことができる。
【００３８】
そして、第２制御装置１２２は、警報発報制御手段Ｐ４にて不平衡と判定された相間電圧Ｖｒｓ，Ｖｓｔ，Ｖｔｒの値と、不平衡となっている旨のメッセージとを設置箇所の情報と共に表示部１２４に送信した場合、これらの監視データを表示部１２４の表示画面に表示させるようになっている。第３制御装置１２３は、第２制御装置１２２から、不平衡と判定された相間電圧Ｖｒｓ，Ｖｓｔ，Ｖｔｒの値と、不平衡となっている旨のメッセージとが設置箇所の情報と共に送られてきた場合、これらの監視データを後述する遠隔監視装置３００（図１参照）に送信するようになっている。
【００３９】
また、警報発報制御手段Ｐ４は、給電監視制御手段Ｐ３にて第１接点部２２ｒ，２２ｓ，２２ｔのオフ状態を示す信号を検出した場合には、記憶部１２２ｂにおける相間電圧Ｖｒｓ，Ｖｓｔ，Ｖｔｒの値を含む監視データを表示部１２４および／または第３制御装置１２３に送信する。具体的には、警報発報制御手段Ｐ４は、三相電源回路１０の補機３０への給電が遮断された遮断時点から所定時間（所定サンプル個数）だけ遡った分の記憶部１２２ｂにおける相間電圧Ｖｒｓ，Ｖｓｔ，Ｖｔｒの値と、三相電源回路１０の補機３０への給電が遮断された旨のメッセージとを設置箇所の情報と共に表示部１２４および／または第３制御装置１２３に監視データとして送信する。なお、これらの監視データを表示部１２４と第３制御装置１２３とのうちの何れに送信するかの情報は、予め設定しておくことができる。
【００４０】
そして、第２制御装置１２２は、警報発報制御手段Ｐ４にて遮断時点から遡った分の相間電圧Ｖｒｓ，Ｖｓｔ，Ｖｔｒの値と、給電が遮断された旨のメッセージとを設置箇所の情報と共に表示部１２４に送信した場合、これらの監視データを表示部１２４の表示画面に表示するようになっている。第３制御装置１２３は、第２制御装置１２２から、遮断時点から遡った分の相間電圧Ｖｒｓ，Ｖｓｔ，Ｖｔｒの値と、給電が遮断された旨のメッセージとが設置箇所の情報と共に送られてきた場合、これらの監視データを遠隔監視装置３００に送信するようになっている。
【００４１】
また、第２制御装置１２２は、パーソナルコンピュータや携帯端末機等の端末装置１２５が接続可能とされており、端末装置１２５は、第２制御装置１２２に蓄積された監視データを取り込むことができるようになっている。
【００４２】
遠隔監視装置３００（図１参照）は、第３制御装置１２３に公衆回線網等の通信網３１０を介して接続されている。第３制御装置１２３及び遠隔監視装置３００は、互いに情報の送受信を行うことが可能とされている。遠隔監視装置３００は、電源回路監視システム１００に対して遠く離れた位置にある遠隔監視センターに配置されており、電源回路監視システム１００からの監視データを収集して蓄積するようになっている。そして、遠隔監視装置３００は、ＬＡＮ（Local Area Network）等のネットワーク３２０を介してパーソナルコンピュータや携帯端末機等の端末装置３３０〜３３０に接続可能とされており、端末装置３３０〜３３０は、遠隔監視装置３００に蓄積された監視データを取り込むことができるようになっている。
【００４３】
次に、電源回路監視システム１００における制御部１２０の第２制御装置１２２による制御動作の一例について、図３を参照しながら説明する。
【００４４】
図３は、電源回路監視システム１００における制御部１２０の第２制御装置１２２による制御動作の一例を示すフローチャートである。
【００４５】
図３に示すように、第２制御装置１２２は、先ず、第１制御装置１２１から相間電圧Ｖｒｓ，Ｖｓｔ，Ｖｔｒをサンプリング時間毎に取得し（ステップＳ１）、取得した相間電圧Ｖｒｓ，Ｖｓｔ，Ｖｔｒを設置箇所の情報と共に記憶部１２２ｂに記録していく（ステップＳ２）。
【００４６】
次に、第２制御装置１２２は、相間電圧Ｖｒｓ，Ｖｓｔ，Ｖｔｒを判定式である電圧不平衡率の［式１］に代入して電圧不平衡率を演算し（ステップＳ３）、演算値が閾値（例えば５％）を超えたか否かを判断する（ステップＳ４）。演算値が閾値を超えたと判断した場合には（ステップＳ４：Ｙｅｓ）、不平衡と判断された相間電圧Ｖｒｓ，Ｖｓｔ，Ｖｔｒの値と、相間電圧Ｖｒｓ，Ｖｓｔ，Ｖｔｒが不平衡となっている旨のメッセージとを設置箇所の情報と共に表示部１２４および／または第３制御装置１２３に送信し（ステップＳ５）、ステップＳ６に移行する一方、演算値が閾値を超えていないと判断した場合には（ステップＳ４：Ｎｏ）、そのままステップＳ６に移行する
次に、第２制御装置１２２は、補機回路２０における電磁接触器２２（図４参照）の第１接点部２２ｒ，２２ｓ，２２ｔがオン状態になっているか或いはオフ状態になっているかを示す識別信号を検出し（ステップＳ６）、識別信号が第１接点部２２ｒ，２２ｓ，２２ｔのオン状態を示す信号か或いはオフ状態を示す信号かを判断する（ステップＳ７）。識別信号が第１接点部２２ｒ，２２ｓ，２２ｔのオフ状態を示す信号である場合には（ステップＳ７：オフ状態）、三相電源回路１０の補機３０への給電が遮断された遮断時点から所定時間（所定サンプル個数）だけ遡った分の相間電圧Ｖｒｓ，Ｖｓｔ，Ｖｔｒの値と、三相電源回路１０の補機３０への給電が遮断された旨のメッセージとを設置箇所の情報と共に表示部１２４および／または第３制御装置１２３に送信し（ステップＳ８）、ステップＳ９に移行する一方、識別信号が第１接点部２２ｒ，２２ｓ，２２ｔのオン状態を示す信号である場合には（ステップＳ７：オン状態）、そのままステップＳ９に移行する。
【００４７】
次に、第２制御装置１２２は、処理終了の指示があるまで（ステップＳ９：Ｎｏ）、ステップＳ１〜Ｓ９の処理を繰り返し、処理終了の指示があると（ステップＳ９：Ｙｅｓ）、処理を終了する。
【００４８】
以上説明したように、本実施の形態に係る電源回路監視システム１００によれば、記録制御手段Ｐ１により、電圧センサ１１０にて検知した相間電圧Ｖｒｓ，Ｖｓｔ，Ｖｔｒを記録することで、監視者や制御部１２０は、相間電圧Ｖｒｓ，Ｖｓｔ，Ｖｔｒを監視することができ、これにより、三相電源回路１０の補機３０への給電を遮断した要因が、三相電源回路１０側での要因なのか、或いはサーマルリレー２１側での要因なのかを識別することができる。
【００４９】
例えば、三相電源回路１０の補機３０への給電を遮断したときに（ステップＳ７：オフ状態）、監視者や制御部１２０は、ステップＳ５による送信動作により表示部１２４および／または第３制御装置１２３に送られてきた、不平衡と判定された相間電圧Ｖｒｓ，Ｖｓｔ，Ｖｔｒや、ステップＳ８による送信動作により表示部１２４および／または第３制御装置１２３に送られてきた、遮断時点から所定時間（所定サンプル個数）だけ遡った分の相間電圧Ｖｒｓ，Ｖｓｔ，Ｖｔｒを確認することで、三相電源回路１０におけるＲ相、Ｓ相、Ｔ相の三相において欠相が発生したか、或いは三相間の相間電圧Ｖｒｓ，Ｖｓｔ，Ｖｔｒが不平衡になったとして、三相電源回路１０の補機３０への給電を遮断した要因が三相電源回路１０側での要因であることを識別することができる。
【００５０】
また、三相電源回路１０の補機３０への給電を遮断したときに（ステップＳ７：オフ状態）、監視者や制御部１２０は、ステップＳ８による送信動作により表示部１２４および／または第３制御装置１２３に送られてきた、遮断時点から所定時間（所定サンプル個数）だけ遡った分の相間電圧Ｖｒｓ，Ｖｓｔ，Ｖｔｒに関して、三相電源回路１０の三相間の相間電圧Ｖｒｓ，Ｖｓｔ，Ｖｔｒが平衡に保たれていることを確認することで、過負荷またはサーマルリレー２１自体が誤動作したとして、三相電源回路１０の補機３０への給電を遮断した要因がサーマルリレー２１側での要因であることを識別することができる。
【００５１】
なお、補機回路２０においてサーマルリレー２１の構成は、図４に示すものに限定されるものではなく、過電流による補機３０の過熱を保護できるものであれば、何れの構成であってもよい。また、サーマルリレー２１として、ここでは、熱動式のサーマルリレーを用いたが、検出制御手段を別途設けて電流を検出して所定値を超える電流を検出したときに電磁接触器２２により三相電源回路１０から補機３０への給電を遮断する電子式のサーマルリレーを用いてもよい。
【００５２】
また、本実施の形態では、三相電源回路として、三相３線式のもの用いたが、三相４線式のものを用いてもよい。
【００５３】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５４】
１０      三相電源回路
２０      補機回路
２１      サーマルリレー
２１ａ    接点部
２１ｒ    熱動部
２１ｔ    熱動部
２２      電磁接触器
２２ａ    電磁コイル
２２ｂ    第２接点部
２２ｒ    第１接点部
２２ｓ    第１接点部
２２ｔ    第１接点部
２３      第１押しボタンスイッチ
２４      第２押しボタンスイッチ
３０      補機
１００    電源回路監視システム
１１０    電圧センサ（検知手段と一例）
１２０    制御部
１２１    第１制御装置
１２１ａ  処理部
１２１ｂ  記憶部
１２２    第２制御装置
１２２ａ  処理部
１２２ｂ  記憶部
１２３    第３制御装置
１２３ａ  処理部
１２３ｂ  記憶部
１２４    表示部
１２５    端末装置
２００    電源接続回路
３００    遠隔監視装置
３１０    通信網
３２０    ネットワーク
３３０    端末装置
Ｌ１      電路
Ｌ２      電路
ＬＮ      通信回線
Ｌｒｓ    負荷
Ｌｓｔ    負荷
Ｌｔｒ    負荷
Ｐ１      記録制御手段
Ｐ２      不平衡判定手段
Ｐ３      給電監視制御手段
Ｐ４      警報発報制御手段
Ｐｒｓ    電力
Ｐｓｔ    電力
Ｐｔｒ    電力
Ｖｒｓ    相間電圧
Ｖｓｔ    相間電圧
Ｖｔｒ    相間電圧
【図１】
2014171364.tif 000003
【図２】
2014171364.tif 000004
【図３】
2014171364.tif 000005
【図４】
2014171364.tif 000006